(57)【要約】【課題】ズボンのポケットに紙幣及びカード類を整頓状態で効率良く収容できるようにする。【解決手段】ポケット２の内部に紙幣Ｌ及びカード類Ｃを収容可能な財布部１０を有する財布付きズボン１であって、一辺を除く外周辺に加熱によりポケット２の内面に貼合可能な接着材が塗布された貼合部１３を有する第１の生地１２と、一辺を除く外周辺が第１の生地１２における貼合部１３の内側に取り付けられた第２の生地１５とを備え、第１の生地１２の貼合部１３がポケット２の内面に貼合されていることで、第１の生地１２とポケット２の内面との間に袋状の札入れ２０が形成されており、かつ、第２の生地１５と第１の生地１２との間に袋状のカード入れ２５が形成されており、札入れ２０の開口部２１に取り付けた一対の面ファスナー２２ａ，２２ａで該開口部２１が開閉可能となっている。【選択図】図２
0003147397.tif 000002
【実用新案登録請求の範囲】
【請求項１】
ポケットの内部に少なくとも紙幣及びカード類を収容可能な財布部を有してなる財布付きズボンであって、
一辺を除く外周辺に加熱により前記ポケットの内面に貼合可能な接着材が塗布された貼合部を有してなる矩形状の第１の生地と、
一辺を除く外周辺が前記第１の生地における前記貼合部の内側に取り付けられた矩形状の第２の生地と、
前記第１の生地の前記一辺近傍とそれに対向する前記ポケットの内面との間に取り付けた開閉用部材と、
を備え、
前記第１の生地の前記貼合部が前記ポケットの内面に貼合されていることで、該第１の生地と前記ポケットの内面との間に袋状の札入れが形成されており、かつ、前記第２の生地と前記第１の生地との間に袋状のカード入れが形成されており、
前記開閉用部材により前記札入れの開口部が開閉可能になっている
ことを特徴とする財布付きズボン
【請求項２】
前記開閉用部材は、面ファスナーまたはマグネットである
ことを特徴とする請求項１に記載の財布付きズボン
【請求項３】
衣服のポケットの内部に少なくとも紙幣及びカード類を収容可能な財布部を形成するための財布形成用生地材であって、
一辺を除く外周辺に加熱により前記ポケットの内面に貼合可能な接着材が塗布された貼合部を有してなる矩形状の第１の生地と、
一辺を除く外周辺が前記第１の生地における前記貼合部の内側に取り付けられた矩形状の第２の生地と、
前記第１の生地の前記一辺近傍とそれに対向する前記ポケットの内面との間に取り付ける開閉用部材と、を備え、
前記第２の生地と前記第１の生地との間に袋状のカード入れが形成されており、
前記第１の生地の前記貼合部を加熱して前記ポケットの内面に貼合することで、該第１の生地と前記ポケットの内面との間に袋状の札入れが形成されると共に、前記開閉用部材により前記札入れの開口部が開閉可能となる
ことを特徴とする財布形成用生地材
【考案の詳細な説明】
【技術分野】
【０００１】
本考案は、ポケット内に少なくとも紙幣及びカード類を収容可能な財布部を有してなる財布付きズボン、および衣服のポケット内に財布部を形成するための財布形成用生地材に関する。
【背景技術】
【０００２】
従来、紙幣を収納する札入れ及び数枚のカード類を収納するカード入れを備えた財布がある。この種の財布に紙幣やカード類を収納し、該財布を鞄に入れたりズボンなど衣服のポケットに入れたりして持ち歩くのが一般的である。これに関連して、例えば特許文献１に示すように、ズボンのポケットに入れた財布が抜け落ちることを防止するための工夫が提案されている。
【特許文献１】特開２００４‐１８８１７０号公報
【考案の開示】
【考案が解決しようとする課題】
【０００３】
ところで、自宅や職場などからコンビニエンスストアや銀行、郵便局などの近場へ簡単な買い物や用事を済ませに外出する場合、小額の貨幣と数枚のカードがあれば足りることが殆どである。しかしながら、通常は、所持する全貨幣とカード類が収容された財布ごと持って行かなければならない。この場合、近場への外出では、鞄などを持って行かないことが多いので、財布を直接手で持つか、ズボンのポケットに入れて持ち歩くようになる。しかしながら、財布を直接手に持って外出すると紛失する危険があるし、防犯上もあまり好ましくない。また、ズボンのポケットに財布を入れると、ポケットが膨らんで見栄えが悪くなる。また、ポケットの膨らみで身体の動きが制限されるという問題もある。さらに、ポケット周辺の生地が伸びたり摺り切れたりして、ズボンが傷み易くなるという問題もある。
【０００４】
一方、近場への短時間の外出であれば、貨幣やカード類をズボンのポケットに直接入れて持ち歩くことが考えられるが、従来のズボンのポケットは、単純な袋形状であり、貨幣やカード類を整理して収容するのに適していないため、貨幣やカード類の出し入れがスムーズに行えなかったり、貨幣やカード類がポケット内のどの位置に入っているか瞬時に分かり難かったりする。そのため、レジや窓口で貨幣の取り出しやカード類の提示に手間取ることが多かった。
【０００５】
本考案は上述の点に鑑みてなされたものでありその目的は、貨幣やカード類をポケット内に整頓状態で効率良く収容でき、かつ貨幣やカード類の出し入れがスムーズに行える財布部を有する財布付きズボン、および衣服のポケット内に財布部を形成するための財布形成用生地材を提供することにある。
【課題を解決するための手段】
【０００６】
上記課題を解決するため本考案は、ポケット（２）の内部に少なくとも紙幣（Ｌ）及びカード類（Ｃ）を収容可能な財布部（１０）を有してなる財布付きズボン（１）であって、一辺を除く外周辺に加熱によりポケット（２）の内面に貼合可能な接着材が塗布された貼合部（１３）を有してなる矩形状の第１の生地（１２）と、一辺を除く外周辺が第１の生地（１２）における貼合部（１３）の内側に取り付けられた矩形状の第２の生地（１５）と、第１の生地（１２）の一辺近傍とそれに対向するポケット（２）の内面との間に取り付けた開閉用部材（２２）と、を備え、第１の生地（１２）の貼合部（１３）がポケット（２）の内面に貼合されていることで、該第１の生地（１２）とポケット（２）の内面との間に袋状の札入れ（２０）が形成されており、かつ、第２の生地（１５）と第１の生地（１２）との間に袋状のカード入れ（２５）が形成されており、開閉用部材（２２）で札入れ（２０）の開口部（２１）が開閉可能となっていることを特徴とする。また、上記の開閉用部材（２２）として、面ファスナー（２２ａ，２２ａ）またはマグネットを用いると好適である。
【０００７】
本考案にかかる財布付きズボンによれば、ポケット内に第１の生地と第２の生地とにより画成される袋状の札入れ及びカード入れを有してなる財布部を形成したので、紙幣及び数枚のカード類を整頓状態で効率良く収納することができる。したがって、ポケット内での紙幣やカード類の所在が分かり易くなり、かつ、紙幣及びカード類の出し入れが簡単に行えるようになる。これにより、レジや受付での代金の支払いやカード類の提示がスムーズに行えるようになる。さらに、ポケットの内部に袋状の札入れ及びカード入れを設け、かつ、札入れの開口部に面ファスナーなどからなる開閉用部材を取り付けたので、ポケットに収納した紙幣やカード類が不用意に抜け出ることを効果的に防止でき、紙幣やカード類の紛失を効果的に防ぐことができる。
【０００８】
また、ポケットに札入れ及びカード入れを有してなる財布部を形成したことで、ポケットが有する本来の収納部と、財布部が有する札入れ及びカード入れを一のポケット内で互いに仕切られた箇所として設けることが可能となる。したがって、ポケット内で紙幣およびカード類と他の収納品とを整理した状態で収納できる。これにより、紙幣やカード類の出し入れが簡単に行えて、受付やレジで代金の支払いやカード類の提示がスムーズに行えるようになる。
【０００９】
また、本考案にかかる財布付きズボンは、第１の生地の外周辺に加熱によりポケットの内面に貼合可能な接着材が塗布された貼合部を有しているので、第１の生地をアイロンなどよる加熱でポケットの内面に貼合するだけで財布部を簡単に形成することができる。
【００１０】
また、本考案は、衣服のポケット（２）の内部に少なくとも紙幣（Ｌ）及びカード類（Ｃ）を収容可能な財布部（１０）を形成するための財布形成用生地材（１１）であって、一辺を除く外周辺に加熱によりポケット（２）の内面に貼合可能な接着材が塗布された貼合部（１３）を有してなる矩形状の第１の生地（１２）と、一辺を除く外周辺が第１の生地（１２）における貼合部（１３）の内側に取り付けられた矩形状の第２の生地（１５）と、第１の生地（１２）の一辺近傍とそれに対向するポケット（２）の内面とに取り付ける開閉用部材（２２）と、を備え、第２の生地（１５）と第１の生地（１２）との間に袋状のカード入れ（２５）が形成されており、第１の生地（１２）の貼合部（１３）を加熱してポケット（２）の内面に貼付することで、該第１の生地（１２）とポケット（２）の内面との間に袋状の札入れ（２０）が形成されると共に、開閉用部材（２２）により札入れ（２０）の開口部（２１）が開閉可能となることを特徴とする。
【００１１】
本考案にかかる財布形成用生地材によれば、アイロンなどによる加熱で衣服のポケットの内面に貼合するだけで、衣服のポケットの内部に札入れ及びカード入れを有してなる財布部を簡単に形成することができる。したがって、本考案の財布形成用生地材は、既製品の衣服のポケットに取り付けることができ、あらゆる衣服に簡単に財布部を形成することが可能である。その一方で、衣服の製造段階で財布形成用生地材をポケットの内面に貼付することで、ポケット内に財布部を備えた財布付き衣服として製造、販売することも可能である。
【考案の効果】
【００１２】
本考案にかかる財布付きズボン及び財布形成用生地材で形成した財布部を備える衣服によれば、ポケットに紙幣及びカード類を整頓状態で効率良く収容でき、かつ紙幣及びカード類の出し入れがスムーズに行えるようになる。また、本考案にかかる財布形成用生地材によれば、既製の衣服にも財布部を簡単に形成することができて便利である。
【考案を実施するための最良の形態】
【００１３】
以下、添付図面を参照して本考案の実施形態を詳細に説明する。図１は、本考案の一実施形態にかかる財布付きズボン１を示す正面図である。また、図２は、財布付きズボン１が備える前ポケット２の内部構成を示す概略断面図である。本実施形態の財布付きズボン１は、前ポケット２の内部に札入れ２０及びカード入れ２５を有してなる財布部１０を備えている。財布部１０は、ポケット２の内部に取り付けた財布形成用生地材１１によって形成されている。財布形成用生地材１１は、ポケット２の内形よりも一回り小さく、かつ紙幣の外形に沿う大きさの略長方形状（矩形状）に形成された第１の生地１２を有している。第１の生地１２の外周における上端辺を除く三辺には、ポケット２の内面に貼合するための細帯状の貼合部１３が設けられている。貼合部１３には、アイロンなどの加熱によりポケット２の内面に接着可能な糊材からなる接着材が塗布されている。
【００１４】
ポケット２の内部に財布部１０を形成するには、第１の生地１２の貼合部１３をポケット２内で一方の内面に向き合わせた状態で収容し、その状態でズボン１の上からポケット２の部分にアイロンをあてて加熱する。これにより、第１の生地１２の貼合部１３がポケット２の内面に貼合される。こうして、ポケット２内に貼合された第１の生地１２とそれに対向するポケット２の内面との間に袋状の札入れ２０が形成される。札入れ２０は、上端辺に設けた開口部２１を介して紙幣Lを出し入れするようになっている。
【００１５】
また、第１の生地１２の内面（札入れ２０の内側の面）には、カード入れ２５を形成するための第２の生地１５が貼付されている。第２の生地１５は、クレジットカードやキャッシュカード（以下、「カード類」という）のサイズよりも一回り大きな略長方形状（矩形状）の外形を有しており、外周における上端辺を除く三辺には、第1の生地１２の内面に貼合するための細帯状の貼合部１６が設けられている。貼合部１６には、第1の生地１２に貼合するための接着剤が塗布されている。貼合部１６が第１の生地１２に貼合されていることで、第１の生地１２と第２の生地１５の間に袋状のカード入れ２５が形成されている。カード入れ２５は、カード類を収納可能な幅及び深さに形成されており、上端辺に設けた開口部２６を介してカード類を出し入れするようになっている。カード入れ２５を形成する第２の生地１５は、ズボン１のポケット２に取り付ける前の第１の生地１２にあらかじめ貼合しておく。なお、この第２の生地１５は、第１の生地１２に対して貼合により取り付ける以外にも、縫合により取り付けてもよい。
【００１６】
そして、札入れ２０における開口部２１の内周には、一対の面ファスナー（マジックテープ：登録商標）２２ａ，２２ａで構成された開閉用部材２２が取り付けられている。面ファスナー２２ａ，２２ａは、第１の生地１２の上端辺近傍とそれに対向するポケット２の内面とにそれぞれ加熱により接着可能な接着剤などで貼付されている。この面ファスナー２２ａ，２２ａは、一方をあらかじめ第１の生地１２に貼付しておき、他方は、第１の生地１２をアイロンによる加熱でポケット２の内面に貼合する際、同時に該アイロンの加熱でポケット２の内面に貼付するとよい。
【００１７】
通常時は、互いに接触する一対の面ファスナー２２ａ，２２ａで開口部２１が閉じられた状態になっており、札入れ２０から紙幣Ｌを出し入れする際、ポケット２に挿入した手を札入れ２０に差し込めば、一対の面ファスナー２２ａ，２２ａが離間して開口部２１が開くようになっている。一方、札入れ２０に差し込んだ手を抜くことで、面ファスナー２２ａ，２２ａが互いに接触して開口部２１が閉じるようになっている。このような面ファスナー２２ａ，２２ａからなる開閉用部材２２を設けたことで、簡単な構成でありながら、ポケット２に差し込んだ片手だけで札入れ２０を容易に開閉することが可能となる。また、ズボン１を着用して走るなど激しい動作を行っても、札入れ２０に収納した紙幣Ｌが抜け出すことを効果的に防止できる。
【００１８】
なおここでは、開閉用部材２２の一例として面ファスナー２２ａ，２２ａを示したが、面ファスナー２２ａ，２２ａに代えて、図示は省略するが、一対のマグネットを取り付けてもよい。また、その場合、一対のマグネットのいずれかに代えて、マグネットに接離可能な金属板などを取り付けてもよい。さらに、開閉用部材２２は、片手で開閉が可能な機構であれば、面ファスナー２２ａ，２２ａやマグネット以外にも、スナップやボタンあるいはチャックなどで構成してもよい。また、図示は省略するが、カード入れ２５の開口部２６にも面ファスナーなどからなる開閉用部材を設けてもよい。それによれば、カード入れ２５に収納したカード類が不用意に抜け出すことを効果的に防止できる。
【００１９】
なお、図１に示すように、本実施形態の財布付きズボン１が備える財布部１０は、ズボン１の向かって左側の前ポケット２だけに設けた場合を示したが、これ以外にも、ズボン１の向かって右側の前ポケット３に設けてもよいし、左右の前ポケット２，３にそれぞれ設けてもよい。
【００２０】
図３は、他の構成の財布部１０を備えた財布付きズボン１を示す正面図である。図３では、財布部１０をズボン１の後ポケット４に設けている。この場合も、財布部１０は、左右の後ポケット４，５のうちいずれか一方のみに設けてもよいし、左右の後ポケット４，５の両方に設けてもよい。また、図３に示す財布部１０は、二個のカード入れ２５を左右に並べて形成している。このように、複数個のカード入れ２５を形成すれば、収納するカード類の種類（例えば、銀行のキャッシュカードや店舗のポイントカード）に応じて複数のカード入れ２５を使い分けることが可能となる。したがって、財布部１０に収納したカード類を整理し易くなり、レジや受付でカード類をスムーズに提示できて便利である。
【００２１】
なお、図３に示すように財布部１０に複数のカード入れ２５を設ける以外にも、詳細な図示は省略するが、いずれかのカード入れ２５に代えて、少量の小銭を収納可能な小銭入れを設けてもよい。この場合、小銭入れの開口部にも面ファスナーあるいはチャックなどからなる開閉用部材を取り付けておけば、ズボンを着用して走ったりする激しい動作を行っても収納した小銭が飛び出さずに済むので、財布部１０の使い勝手が良くなり好適である。
【００２２】
以上説明したように、本実施形態の財布付きズボン１によれば、ポケット２の内部に、第１の生地１２と第２の生地１５とにより画成される袋状の札入れ２０及びカード入れ２５を有してなる財布部１０を形成したので、紙幣Ｌ及び数枚のカード類Ｃを整頓状態で効率良く収納することができる。したがって、ポケット２内での紙幣Ｌやカード類Ｃの所在が分かり易くなり、かつ、紙幣Ｌ及びカード類Ｃの出し入れが簡単に行えるようになる。これにより、レジや受付での代金の支払いやカード類の提示がスムーズに行えるようになる。さらに、ポケット２の内部に袋状の札入れ２０及びカード入れ２５を設け、かつ、札入れ２０の開口部２１に面ファスナー２２ａ，２２ａからなる開閉用部材２２を取り付けたので、ポケット２に収納した紙幣Ｌやカード類Ｃが不用意に抜け出ることを防止でき、紙幣Ｌやカード類Ｃの紛失を防ぐことができる。
【００２３】
また、ポケット２内に第１の生地１２と第２の生地１５により画成される札入れ２０及びカード入れ２５を形成したことで、ポケット２が有する本来の収納部２ａと札入れ２０及びカード入れ２５とを一のポケット２内で互いに仕切られた箇所として設けることが可能となる。したがって、紙幣Ｌおよびカード類Ｃと他の収納品とを整理した状態でポケット２に収容できる。これにより、紙幣Ｌやカード類Ｃの出し入れがスムーズに行えるようになる。また、ポケット２の膨らみを抑えることができるので、ズボン１を着用した状態での動作が制限されずに済み、動き易くなる。さらに、ポケット２の近傍の生地が傷むことも防げるようになる。
【００２４】
また、本実施形態の財布部１０は、第１の生地１２及び第２の生地１５からなる財布形成用生地材１１をアイロンによる加熱でポケット２の内面に貼合するだけで、簡単に形成することができる。したがって、財布形成用生地材１１は、既製品のズボンのポケットにも取り付けることができ、手持ちのズボンなどにも簡単に財布部１０を形成することが可能である。その一方で、ズボン１の製造段階で財布形成用生地材１１をポケット２の内面に貼付することで、ポケット２の内部に財布部１０を備えた財布付きズボン１として製造、販売することも可能である。
【００２５】
また、本実施形態の札入れ２０は、紙幣Ｌを折り畳まずに収容可能なサイズ及び形状とするほか、サイズが小さいポケット２に財布部１０を形成する場合などは、札入れ２０は、紙幣Ｌを二つ折りにした状態で収容可能なサイズ及び形状とすることも可能である。
【００２６】
本考案にかかる財布部は、上記実施形態に示したように、ズボン１のポケット２に設けるのが好ましいが、ズボン１のみでなく、スカートや上着など、他の種類の衣服に設けることも可能である。また、図示は省略するが、財布部をジャケットなどの上着に設ける場合は、上着の内ポケットなどに設けるとよい。
【００２７】
以上本考案の実施形態を説明したが、本考案は上記実施形態に限定されるものではなく、実用新案登録請求の範囲、及び明細書と図面に記載された技術的思想の範囲内において種々の変形が可能である。なお直接明細書及び図面に記載のない何れの形状・構造・材質であっても、本願考案の作用・効果を奏する以上、本願考案の技術的思想の範囲内である。
【図面の簡単な説明】
【００２８】
【図１】本考案の一実施形態にかかる財布付きズボンを示す正面図である。
【図２】財布付きズボンにおける財布部を形成したポケットの内部構成を示す概略断面図である。
【図３】他の構成の財布付きズボンを示す正面図である。
【符号の説明】
【００２９】
１  ズボン（財布付きズボン）
２，３  前ポケット
４，５  後ポケット
１０  財布部
１１  財布形成用生地材
１２  第１の生地
１３  貼合部
１５  第２の生地
１６  貼合部
２０  札入れ
２１  開口部
２２  開閉用部材
２２ａ，２２ａ  面ファスナー
２５  カード入れ
２６  開口部
Ｃ  カード類
Ｌ  紙幣
【図１】
0003147397.tif 000003
【図２】
0003147397.tif 000004
【図３】
0003147397.tif 000005